(57)【要約】【課題】操作性の向上を図った電子機器を得る。【解決手段】電子機器１は、側壁６ｄを備えた筐体４と、側壁６ｄに設けられた第１の機能部品５４と、ユーザーからみて第１の機能部品５４よりも遠くなる位置で側壁６ｄに設けられ、且つ、電子機器１が机上面Ｔに置かれたときに、机上面Ｔからの高さが第１の機能部品５４よりも高くなる位置に実装された第２の機能部品５５とを具備した。【選択図】      図５
2010102741.tif 000002
【特許請求の範囲】
【請求項１】
側壁を備えた筐体と、
上記側壁に設けられた第１の機能部品と、
ユーザーからみて上記第１の機能部品よりも遠くなる位置で上記側壁に設けられ、且つ、当該電子機器が机上面に置かれたときに、上記机上面からの高さが上記第１の機能部品よりも高くなる位置に実装された第２の機能部品と、
を具備したことを特徴とする電子機器。
【請求項２】
請求項１に記載の電子機器において、
上記側壁は、下方に進むに従い上記筐体の外側へ張り出すテーパ状に形成されたことを特徴とする電子機器。
【請求項３】
請求項２に記載の電子機器において、
上記第１および第２の機能部品は、ポートコネクタであり、この第１および第２の機能部品は共に、ユーザーからみて上記側壁の中央よりも遠い領域に配置されたことを特徴とする電子機器。
【発明の詳細な説明】
【技術分野】
【０００１】
本発明は、例えばポータブルコンピュータのような電子機器に関する。
【背景技術】
【０００２】
ポータブルコンピュータのような電子機器は、スピーカを搭載している。  
特許文献１は、スピーカがパームレストの側方に配置された電子機器を開示している。この電子機器は、パームレストの側方にスピーカ収容部を有する。スピーカを含むスピーカユニットは、前記スピーカ収容部に設けられ、スピーカ収容部に収容されるように倒された収容位置と、スピーカ収容部から突出する起立位置との間で回動自在である。上記収容位置にあるスピーカユニットの上面は、パームレストと同一面上にある。
【０００３】
またポータブルコンピュータのような電子機器は、ポインティングデバイスとしてのタッチパッドを有する。タッチパッドは、キーボードの手前側の領域に設けられ、パームレストに隣接している。
【０００４】
特許文献２は、操作者の掌の衛生保持や疲労軽減に有効なパームレストを備えた電子機器を開示している。このパームレストは、操作者の掌が接触する面に小突起が無数に設けられている。
【０００５】
またポータブルコンピュータのような電子機器は、例えば筐体の側壁に複数のＵＳＢコネクタを有する。この複数のＵＳＢコネクタは、互いに同じ高さ位置に配置されている。すなわち、この電子機器を机上面に置いたとき、複数のＵＳＢコネクタは、上記机上面から互いに同じ高さに位置する。
【０００６】
またポータブルコンピュータのような電子機器は、筐体の下壁に脚部を有する。  
特許文献３は、機体の底面に複数の支持脚を備えた電子機器を開示している。この複数の支持脚はそれぞれ、卓上面に接触する接触部材を備える。機体の後部側の支持脚の接触部材の摩擦抵抗は、機体の前部側の支持脚の接触部材の摩擦抵抗よりも小さい。
【特許文献１】特開２００５−１０９６７２号公報
【特許文献２】特開２００２−３２１７８号公報
【特許文献３】実開平２−７０４７９号公報
【発明の開示】
【発明が解決しようとする課題】
【０００７】
ところで上記のような電子機器は、さらなる操作性の向上が望まれている。
【０００８】
本発明の目的は、操作性の向上を図った電子機器を得ることにある。
【課題を解決するための手段】
【０００９】
本発明の一つの形態に係る電子機器は、側壁を備えた筐体と、上記側壁に設けられた第１の機能部品と、ユーザーからみて上記第１の機能部品よりも遠くなる位置で上記側壁に設けられ、且つ、当該電子機器が机上面に置かれたときに、上記机上面からの高さが上記第１の機能部品よりも高くなる位置に実装された第２の機能部品とを具備した。
【発明の効果】
【００１０】
本発明によれば、電子機器の操作性が向上する。
【発明を実施するための最良の形態】
【００１１】
以下に本発明の実施の形態を、ポータブルコンピュータに適用した図面に基づいて説明する。図１ないし図９は、本発明の一つの実施形態に係る電子機器としてのポータブルコンピュータ１を開示している。図１に示すように、ポータブルコンピュータ１は、機器本体２と、表示部３とを備えている。
【００１２】
機器本体２は、扁平箱状に形成された筐体４を備える。筐体４は、上壁５、周壁６、および下壁７を有する。上壁５は、水平方向に広がっており、上方に向いている。周壁６は、上壁５の周縁部から下方に延びている。下壁７は、周壁６の下縁部同士を繋ぐようにして上壁５と略平行に広がっている。
【００１３】
周壁６は、前壁６ａ、後壁６ｂ、および左右一対の側壁６ｃ，６ｄを有する。前壁６ａは、ユーザーに向かい合うとともに、筐体４の左右方向（すなわち横幅方向）に延びている。後壁６ｂは、筐体４においてユーザー側とは反対側の端部に位置するとともに、筐体４の左右方向に延びている。一対の側壁６ｃ，６ｄはそれぞれ、前壁６ａの端部と後壁６ｂの端部との間を繋ぐように筐体４の前後方向（すなわち奥行方向）に延びている。
【００１４】
なお本明細書では、ユーザーに近い方（すなわちユーザー側）を前側、ユーザーから遠い方を後側として筐体の前後方向を定義する。すなわち「前端部」とは、前後方向の両端部のうちユーザーに近い方の端部を指す。また「後端部」とは、前後方向の両端部のうちユーザーから遠い方の端部を指す。また本明細書では、ユーザーからみて左方を左側、ユーザーからみて右方を右側として筐体の左右方向を定義する。
【００１５】
図１に示すように、表示部３は、ディスプレイハウジング８と、このディスプレイハウジング８に収容された表示装置９とを備える。表示装置９の一例は、液晶ディスプレイである。表示装置９は、表示画面９ａを有する。この表示画面９ａは、ディスプレイハウジング８の前壁に設けられた開口部８ａを通じて外部に露出されている。
【００１６】
機器本体２の後端部には、ヒンジ部１０が設けられている。ヒンジ部１０は、表示部３を機器本体２に回動可能に連結している。これにより表示部３は、機器本体２の上壁５を上方から覆うように倒される第１の姿勢と、上壁５に対して立て起こされる第２の姿勢との間で回動可能である。
【００１７】
図１に示すように、上壁５は、キーボード載置部５ａを有する。キーボード１２は、キーボード載置部５ａに取り付けられ、上壁５に支持されている。また筐体４内の前端部（すなわちユーザー側の端部）には、ポインティングデバイスであるタッチパッド１４と、一対のタッチパッドボタン１５ａ，１５ｂとが実装されている。タッチパッドボタン１５ａ，１５ｂは、上壁５に形成された開口部５ｂを通じて筐体４の外部に露出されている。一方、タッチパッド１４は、上壁５によって覆われ、筐体４の外部には露出されていない。タッチパッド１４は、上壁５の内面（すなわち筐体４の内部空間に臨む面）に沿って配置されている。
【００１８】
図１に示すように、筐体４内には、例えば複数のスピーカ２１，２２，２３，２４が搭載されている。この複数のスピーカのうち例えば２つのスピーカ２１，２２は、筐体４内の前端部に配置されている。この２つのスピーカ２１，２２は、筐体４内の左前端部と右前端部とに分かれて実装されている。残りの２つのスピーカ２３，２４は、筐体４内の後端部に配置されている。
【００１９】
図１および図２に示すように、上壁５は、キーボード１２よりも手前側に位置する前部領域２６を有する。この前部領域２６は、パームレスト面３１、左右一対のスピーカ取付面３２，３３、およびタッチパッド面３４を含む。
【００２０】
図２に示すように、パームレスト面３１は、キーボード１２の使用時にユーザーの左右の手Ｈ（特に手Ｈのかかと部ｋ）が載せられる面である。なお手Ｈのかかと部ｋとは、手のひらのなかで手首側に位置する端部である。パームレスト面３１は、前部領域２６の左縁部から右縁部まで亘って延びており、前部領域２６のなかで比較的多くの面積を占めている。換言すれば、前部領域２６のなかで上記スピーカ取付面３２，３３とタッチパッド面３４とを外れた領域がパームレスト面３１となっている。
【００２１】
次に、スピーカ取付面３２，３３について説明する。  
スピーカ取付面３２，３３は、上壁５の前端部に形成され、筐体４内の前端部に実装されたスピーカ２１，２２の上方に位置している。一方のスピーカ取付面３２は、上壁５の左前端部（すなわち左前の隅部）に形成されている。他方のスピーカ取付面３３は、上壁５の右前端部（すなわち右前の隅部）に形成されている。スピーカ取付面３２，３３は、スピーカ２１，２２を筐体４の外部に露出させる開口部３６が形成されている。
【００２２】
図１ないし図４に示すように、スピーカ取付面３２，３３は、パームレスト面３１に対して例えば数ｍｍ程度窪み、パームレスト面３１よりも低くなっている。詳しく述べると、スピーカ取付面３２，３３は、パームレスト面３１に比べて低位置にある掘り下げ面３７（すなわち窪み面）と、この掘り下げ面３７の周縁をパームレスト面３１の周縁に滑らかに繋げる傾斜面３８とを有する。上記スピーカ２１，２２を露出させる開口部３６は、掘り下げ面３７に開口している。
【００２３】
図２に示すように、パームレスト面３１は、ユーザーの手Ｈがキーボード１２のホームポジションにあるとき（すなわち両手の人差し指が基準キーであるＦキー４１とＪキー４２とに添えられたとき）に、そのユーザーの左手Ｈのかかと部ｋを支持する部位まで延びている。すなわちパームレスト面３１は、ユーザーの手Ｈがキーボード１２のホームポジションにあるときに、そのユーザーの左手Ｈのかかと部ｋが掛かる部位まで延びている。
【００２４】
なお本実施形態に係るポータブルコンピュータ１では、ユーザーの手Ｈがキーボード１２のホームポジションにあるとき、そのユーザーの左手Ｈのかかと部ｋは、パームレスト面３１とスピーカ取付面３２の傾斜面３８との両方に亘って掛かる。つまり、ユーザーは、パームレスト面３１と傾斜面３８との境界部４４の傾斜変化を利用して手を安定して置くことができる。
【００２５】
図２に示すように、パームレスト面３１とスピーカ取付面３２，３３との境界部４４は、スピーカ取付面３２，３３からパームレスト面３１に向いて凸となる円弧状に形成されている。この境界部４４は、例えばスピーカ２１，２２を円の中心とする円弧状をしている。
【００２６】
図２および図４に示すように、ポータブルコンピュータ１は、スピーカ取付面３２，３３の開口部３６に取り付けられ、スピーカ２１，２２の上方に位置するスピーカカバー４５を備える。このスピーカカバー４５は、ドーム状に形成されてスピーカ取付面３２，３３よりも上方に盛り上がる上面部４６と、この上面部４６に設けられた通音口４７とを有する。上面部４６は、スピーカ取付面３２，３３から例えば０．５ｍｍくらい盛り上がっている。通音口４７は、ユーザーの手Ｈが上面部４６の上に載せられたときであっても外部に連通するように、少なくとも一部が上面部４６の頂点部４６ａを外れた領域に開口している。
【００２７】
次に、タッチパッド面３４について説明する。  
タッチパッド面３４は、タッチパッド１４の上方に形成されており、筐体４内に実装されたタッチパッド１４に対向している。ユーザーは、このタッチパッド面３４に触れることでタッチパッド１４を操作することができる。上述したように、パームレスト面３１は、このタッチパッド面３４を外れた領域に設けられている。
【００２８】
図２に示すように、タッチパッド面３４（すなわちタッチパッド１４）は、キーボード１２のホームポジションを基準にして配置されている。つまりタッチパッド面３４は、キーボード１２のＦキー４１とＪキー４２との間を通るキーボードセンターライン４８が当該タッチパッド面３４の中心を通るように配置されている。
【００２９】
本実施形態に係るキーボード１２は、点字キーを含むため、キーボードセンターライン４８が筐体４の中央部に対して左方に比較的大きく偏っている。つまりタッチパッド面３４は、筐体４の中央部に対して左方に比較的大きく偏っている。
【００３０】
本実施形態に係るパームレスト面３１は、タッチパッド面３４に比べて肌触りが粗く形成されている。パームレスト面３１は、例えば細かな凸状の突起が等間隔で設けられており（すなわち荒い表面処理が施されており）、これにより粗面状を成している。さらに言えば、本実施形態に係るタッチパッド面３４は、鏡面のような平面ではなく、パームレスト面３１に比べて肌触りが滑らかな細かい凹凸が設けられている。
【００３１】
図２に示すように、上述のように粗く形成されたパームレスト面３１は、タッチパッド面３４の外周縁３４ａを取り囲んでいる。さらに本実施形態では、粗く形成されたパームレスト面３１は、タッチパッド面３４の外周縁３４ａまで達しており、タッチパッド面３４に隣接している。
【００３２】
なお本実施形態では、パームレスト面３１とタッチパッド面３４とは、互いに同一面上に位置している。また、パームレスト面３１およびタッチパッド面３４は、共に上壁５の一部として互いに一体に成形されている。
【００３３】
次に、筐体４の側壁６ｃ，６ｄに設けられた機能部品ついて説明する。  
図５および図６に示すように、筐体４の右側の側壁６ｄには、前側から、音量調整用のボリューム５１、ヘッドホン用コネクタ５２、マイク用コネクタ５３、第１のＵＳＢ(universal Serial Bus)コネクタ５４、および第２のＵＳＢコネクタ５５が順に設けられている。これらボリューム５１およびコネクタ５２，５３，５４，５５は、それぞれ本発明でいう機能部品の一例である。図５に示すように、側壁６ｄは、後方に向かって進むに従い高さが徐々に高くなるようにカーブ状に形成されている。
【００３４】
図６に示すように、ポータブルコンピュータ１が机上面Ｔに置かれたとき、ボリューム５１、ヘッドホン用コネクタ５２、およびマイク用コネクタ５３は、机上面Ｔからの高さが互いに略同じである。
【００３５】
一方、第１のＵＳＢコネクタ５４は、ポータブルコンピュータ１が机上面Ｔに置かれたとき、机上面Ｔからの高さがマイク用コネクタ５３に比べて高くなる位置に実装されている。また、第２のＵＳＢコネクタ５５は、ポータブルコンピュータ１が机上面Ｔに置かれたとき、机上面Ｔからの高さが第１のＵＳＢコネクタ５４に比べて高くなる位置に実装されている。つまりマイク用コネクタ５３、並びに第１および第２のＵＳＢコネクタ５４，５５は、後方に配置されたものになるに従い机上面Ｔからの高さが高くなるように階段状に（すなわち斜めに）配置されている。
【００３６】
すなわち、マイク用コネクタ５３は、本発明でいう第１の機能部品の一例であり、第１のＵＳＢコネクタ５４は、ユーザーからみて第１の機能部品（マイク用コネクタ５３）よりも遠くに配置された第２の機能部品の一例である。また第１のＵＳＢコネクタ５４は、本発明でいう第１の機能部品の一例であり、第２のＵＳＢコネクタ５５は、ユーザーからみて第１の機能部品（第１のＵＳＢコネクタ５４）よりも遠くに配置された第２の機能部品の一例である。
【００３７】
図２に示すように、ボリューム５１は、側壁６ｄの前半部６ｄｆ（すなわちユーザーからみて側壁６ｄの中央よりも近い領域）に配置されている。ヘッドホン用コネクタ５２、マイク用コネクタ５３、並びに第１および第２のＵＳＢコネクタ５４，５５は、ケーブルの端子部が差込可能なポートコネクタである。これらコネクタ５２，５３，５４，５５は、側壁６ｄの後半部６ｄｒ（すなわちユーザーからみて側壁６ｄの中央よりも遠い領域）に配置されている。
【００３８】
また図７に示すように、側壁６ｄは、下方に進むに従い筐体４の外側へ張り出すテーパ状に形成されている。上記ボリューム５１およびコネクタ５２，５３，５４，５５はそれぞれ、このテーパ状に形成された側壁６ｄに設けられている。上記ボリューム５１およびコネクタ５２，５３，５４，５５はそれぞれ、筐体４内に実装されるとともに、上記側壁６ｄに開口する開口部５６を通じて筐体４の外部に露出されている。
【００３９】
図８に示すように、筐体４の左側の側壁６ｃには、前側から、カードスロット６１、ＵＳＢコネクタ６２、およびＵＳＢとｅＳＡＴＡ(External Serial ATA)のコンボコネクタ６３が順に設けられている。これらカードスロット６１およびコネクタ６２，６３は、それぞれ本発明でいう機能部品の一例である。図８に示すように、側壁６ｃは、後方に向かって進むに従い高さが徐々に高くなるようにカーブ状に形成されている。
【００４０】
図６に示すように、ＵＳＢコネクタ６２は、ポータブルコンピュータ１が机上面Ｔに置かれたとき、机上面Ｔからの高さがカードスロット６１に比べて高くなる位置に実装されている。また、コンボコネクタ６３は、ポータブルコンピュータ１が机上面Ｔに置かれたとき、机上面Ｔからの高さがＵＳＢコネクタ６２に比べて高くなる位置に実装されている。つまりカードスロット６１、ＵＳＢコネクタ６２、およびコンボコネクタ６３は、後方に配置されたものになるに従い机上面Ｔからの高さが高くなるように階段状に配置されている。
【００４１】
すなわち、カードスロット６１は、本発明でいう第１の機能部品の一例であり、ＵＳＢコネクタ６２は、ユーザーからみて第１の機能部品（カードスロット６１）よりも遠くに配置された第２の機能部品の一例である。またＵＳＢコネクタ６２は、本発明でいう第１の機能部品の一例であり、コンボコネクタ６３は、ユーザーからみて第１の機能部品（ＵＳＢコネクタ６２）よりも遠くに配置された第２の機能部品の一例である。
【００４２】
図８に示すように、カードスロット６１は、側壁６ｃの前半部６ｃｆに配置されている。ＵＳＢコネクタ６２およびコンボコネクタ６３は、ケーブルの端子部が差込可能なポートコネクタである。これらコネクタ６２，６３は、側壁６ｃの後半部６ｃｒに配置されている。また側壁６ｃは、右側の側壁６ｄと同様に下方に進むに従い筐体４の外側へ張り出すテーパ状に形成されている。上記カードスロット６１およびコネクタ６２，６３はそれぞれ、このテーパ状に形成された側壁６ｃに設けられている。上記カードスロット６１およびコネクタ６２，６３はそれぞれ、筐体４内に実装されるとともに、上記側壁６ｃに開口する開口部５６を通じて筐体４の外部に露出されている。
【００４３】
次に、筐体４の下壁７に設けられた脚部７１，７２，７３，７４について説明する。  
図９に示すように、下壁７には、例えば４つのゴム製の脚部７１，７２，７３，７４が設けられている。これら脚部７１，７２，７３，７４は、下壁７の前端部に設けられた第１の脚部７１，７２と、下壁７の後端部に設けられた第２の脚部７３，７４とを含む。
【００４４】
第１の脚部７１，７２は、筐体４の前後方向に延びたＩ字状に形成されている。一方、第２の脚部７３，７４は、Ｙ字状に形成されている。詳しく述べると、第２の脚部７３，７４は、折曲部７５を含む。この折曲部７５は、ユーザー側（すなわち前側）に頂点７５ａが向く（すなわちユーザー側に凸になる）Ｖ字状に形成されている。すなわち、折曲部７５は、１８０度よりも小さな角度で互いに交差する二つの直線部７６，７７から成る。この二つの直線部７６，７７の間の角度は、例えば１２０度である。
【００４５】
第２の脚部７３，７４は、さらに、上記折曲部７５の頂点７５ａ（すなわち二つの直線部７６，７７の交差点）からユーザー側に延びた直線部７８を有し、全体としてＹ字形に形成されている。この直線部７８と、折曲部７５の直線部７６，７７との間の角度は、それぞれ例えば１２０度である。
【００４６】
上記構成のポータブルコンピュータ１によれば、デザイン性の向上を図ることができるとともに、操作性の向上を図ることができる。以下に本実施形態に係る各構成の効果について説明する。
【００４７】
（スピーカ取付面）  
スピーカを露出させるための開口部と、パームレスト面とが同一面上に位置すると、例えばキーボード使用時などにおいてユーザーの手がパームレスト面に置かれたとき、ユーザーの手が上記開口部を塞ぎやすく、スピーカからの音がユーザーの手によって遮られるおそれがある。
【００４８】
一方、本実施形態に係るポータブルコンピュータ１は、スピーカ２１，２２を露出させる開口部３６が形成されたスピーカ取付面３２，３３が、パームレスト面３１に対して窪み、パームレスト面３１よりも低くなっている。このような構成によれば、キーボード使用時などにおいてユーザーの手Ｈがパームレスト面３１に置かれたとしても、ユーザーの手とスピーカ取付面３２，３３との間に空間が確保されやすく、ユーザーの手がスピーカ取付面３２，３３の開口部３６を塞ぎにくい。
【００４９】
これにより、スピーカ２１，２２から出力された音がユーザーの手によって遮られにくく、良好な音をユーザーまで届けることができる。換言すれば、ユーザーは、開口部３６を手で塞いでしまうといったことを気にせずにキーボード１２を使用することができる。これによりポータブルコンピュータ１の操作性が向上する。
【００５０】
ポータブルコンピュータ１は、スピーカ取付面３２，３３の開口部３６に取り付けられたスピーカカバー４５を備え、このスピーカカバー４５が、ドーム状に形成されてスピーカ取付面３２，３３よりも盛り上がる上面部４６と、この上面部４６に設けられた通音口４７とを有する。このような構成によれば、ユーザーの手Ｈがスピーカカバー４５の上方に位置するときでも、ユーザーの手Ｈによって通音口４７が塞がれにくい。これにより、スピーカ２１，２２からの音がユーザーの手によってさらに遮られにくくなる。
【００５１】
スピーカ取付面３２，３３とパームレスト面３１との境界部４４が、スピーカ取付面３２，３３からパームレスト面３１に向いて凸となる円弧状に形成されていると、この境界部４４の丸くなっている部分がユーザーの手にフィットしやすい。これによりユーザーは、違和感をほとんど感じることなく、スピーカ取付面３２，３３が隣接するパームレスト面３１に手を置くことができ、これにより操作性が向上する。
【００５２】
（パームレスト面）  
パームレスト面３１の肌触りとタッチパッド面３４の肌触りとが互いに似ていると、例えば指先などの感触でパームレスト面３１とタッチパッド面３４との区別が付きにくい。すなわちどこがタッチパッド面３４であるのかを目視によって識別することが必要になり、例えば暗がりなどにおいて操作性が十分に高いとはいえない。
【００５３】
一方、本実施形態に係るポータブルコンピュータ１は、パームレスト面３１が、タッチパッド面３４に比べて肌触りが粗く形成されるとともに、この粗く形成されたパームレスト面３１がタッチパッド面３４の外周縁を取り囲んでいる。このような構成によれば、パームレスト面３１とタッチパッド面３４との区別が付きやすくなる。すなわち指先などの感触などでどこがタッチパッド面３４であるのかを容易に識別することができるようになる。これはポータブルコンピュータ１の操作性の向上に寄与する。またタッチパッド面３４が粗面状に形成されていると、指紋の跡が残りにくく、保守性も向上する。
【００５４】
パームレスト面３１とタッチパッド面３４とは、互いに同一面上に形成されていると、上記効果がより発揮されやすい。さらに、タッチパッド面３４とパームレスト面３１とが一致した斬新なデザインのポータブルコンピュータ１を提供することができる。
【００５５】
（機能部品）  
複数の機能部品（例えばコネクタ）が同じ高さ位置に配置されていると、前側の機能部品が邪魔になり、奥側（すなわち後部側）の機能部品を使いにくいことがある。
【００５６】
一方、本実施形態に係るポータブルコンピュータ１は、第１の機能部品と、ユーザーからみて上記第１の機能部品よりも遠くに配置された第２の機能部品とを含み、上記第２の機能部品が、ポータブルコンピュータ１が机上面Ｔに置かれたときに、机上面Ｔからの高さが上記第１の機能部品に比べて高くなる位置に実装されている。このような構成によれば、奥側の機能部品を使用する際に前側の機能部品が邪魔になりにくく、奥側の機能部品の使いやすさ（例えばケーブルの着脱のしやすさ）が向上する。すなわちポータブルコンピュータ１の操作性が向上する。
【００５７】
側壁６ｃ，６ｄが、下方に進むに従い筐体４の外側へ張り出すテーパ状に形成されていると、ユーザー側からみた奥側のコネクタの視認性（すなわち見やすさ）が向上し、奥側の機能部品の使いやすさがさらに向上する
上記第１および第２の機能部品は、ポートコネクタであり、この第１および第２の機能部品は共に、ユーザーからみて側壁６ｃ，６ｄの中央よりも遠い領域に配置されていると、ポータブルコンピュータ１の使用の際にポートコネクタである第１および第２の機能部品に接続されたケーブルが邪魔になりにくく、ポータブルコンピュータの操作性がさらに向上する。
【００５８】
（脚部）  
筐体の前後方向に延びるＩ字状の脚部を備えたポータブルコンピュータでは、このポータブルコンピュータに対して後向きの荷重がかかったとき、ポータブルコンピュータが後ろにずれ動きやすく、安定して使用できないことがある。
【００５９】
一方、本実施形態に係るポータブルコンピュータ１は、ゴム製の脚部７３，７４が、ユーザー側に頂点７５ａが向くＶ字状の折曲部７５を含む。このような折曲部７５を有すると、ポータブルコンピュータ１に後向きの荷重がかかったとき、脚部７３，７４の踏ん張りが利きやすく、ポータブルコンピュータが後ろにずれ動きにくい。これによりポータブルコンピュータ１を安定して操作することができ、ポータブルコンピュータ１の操作性が向上する。
【００６０】
一方、例えばＯＤＤやＣＤ−ＲＯＭなどを使うときに、ポータブルコンピュータ１を前側に引くことがある。上記折曲部７５は、前方向への移動（すなわちユーザー側への移動）に対しては、踏ん張りが利かずに抵抗がそこまで大きくない。そのため、折曲部７５を備えると、後方向へ移動しにくく、前方向へ移動しやすいポータブルコンピュータ１を得ることができる。
【００６１】
脚部７３，７４が、折曲部７５の頂点７５ａからユーザー側に延びた直線部７８を有するＹ字状に形成されていると、脚部７３，７４がさらに安定し、ポータブルコンピュータ１の操作性がさらに向上する。
【００６２】
以上、本発明の一つの実施形態に係るポータブルコンピュータ１について説明したが、本発明はこれに限定されるものではない。本発明は、実施段階ではその要旨を逸脱しない範囲で構成要素を変形して具体化できる。
【００６３】
例えば、スピーカ取付面３２，３３とパームレスト面３１との境界部４４は、円弧状に形成されている必要はない。スピーカカバー４５の上面部４６は、ドーム状に形成されている必要はない。タッチパッド面３４とパームレスト面３１は必ずしも同一面上になくてもよい。脚部７３，７４は、Ｙ字状に限らず、Ｖ字状に形成されてもよい。
【００６４】
以下に、いくつかの電子機器を付記する。
【００６５】
[１]下壁を有する筐体と、上記下壁に設けられたゴム製の脚部と、を具備し、上記脚部は、ユーザー側に頂点が向くＶ字状の折曲部を含むことを特徴とする電子機器。
【００６６】
[２]上記[１]に記載の電子機器において、前記脚部は、前記折曲部の頂点からユーザー側に延びた直線部を有するＹ字状に形成されていることを特徴とする電子機器。
【図面の簡単な説明】
【００６７】
【図１】本発明の実施形態に係るポータブルコンピュータの斜視図。
【図２】図１中に示されたパームレスト面を示す平面図。
【図３】図２中に示されたスピーカ取付部を拡大して示す平面図。
【図４】図３中に示されたスピーカ取付面をＦ４の方向から見た正面図。
【図５】図１中に示されたポータブルコンピュータの右側壁を示す斜視図。
【図６】図５中に示されたポータブルコンピュータの右側壁を示す側面図。
【図７】図５中に示されたポータブルコンピュータの右側面を前方から見た斜視図。
【図８】図１中に示されたポータブルコンピュータの左側壁を示す斜視図。
【図９】図１中に示されたポータブルコンピュータの下壁を示す下面図。
【符号の説明】
【００６８】
Ｔ…机上面、１…ポータブルコンピュータ（電子機器）、４…筐体、５…上壁、７…下壁、６ｃ，６ｄ…側壁、１２…キーボード、１４…タッチパッド、２１，２２…スピーカ、２６…前部領域、３１…パームレスト面、３２，３３…スピーカ取付面、３４…タッチパッド面、３４ａ…外周縁、３６…開口部、４４…境界部、４５…スピーカカバー、４６…上面部、４７…通音口、５１…ボリューム、６１…カードスロット、５２，５３，５４，５５，６２，６３…ヘッドホン用コネクタ、７３，７４…脚部、７５…折曲部、７８…直線部。
【図１】
2010102741.tif 000003
【図２】
2010102741.tif 000004
【図３】
2010102741.tif 000005
【図４】
2010102741.tif 000006
【図５】
2010102741.tif 000007
【図６】
2010102741.tif 000008
【図７】
2010102741.tif 000009
【図８】
2010102741.tif 000010
【図９】
2010102741.tif 000011